(57)【要約】【課題】  弱い力で容易に開栓でき、また、多種の外径のキャップに対応でき、さらに、キャップを確実に把持することができるキャップオープナーを提供する。【解決手段】  キャップ保持部２とキャップ押え部７とからなっており、キャップ保持部２は、容器１２の飲み口１３に装着されたキャップ１４の側部１５が当接する側壁部５と、キャップ１４の先端部１６が当接するストッパ部４とからなるキャップ収容部３と、このキャップ収容部３から延出する第一の握り部６とを備えている。キャップ押え部７は、キャップ１４の側部１５をキャップ収容部３の側壁部５に当接させる押付部８と、この押付部８から延出する第二の握り部１０とを備えており、押付部８の内側（側部１５を把持する側）には、キャップ１４を回転させる際の側部１５の把持固定力を高めるための凸凹部９が形成されている。【選択図】図１
2006168824.tif 000002
【特許請求の範囲】
【請求項１】
容器の飲み口に装着されたキャップの側部を把持固定し、前記キャップを回転させることにより開栓するキャップオープナーであり、
前記キャップの側部が当接する側壁部および前記キャップの先端部が当接するストッパ部を有して前記キャップの一部または全部を受け入れるキャップ収容部と、前記キャップ収容部から延出する第一の握り部とを備えたキャップ保持部と、
前記キャップの前記側部を前記キャップ収容部の側壁部に当接させる押付部と、前記押付部から延出する第二の握り部とを備えたキャップ押え部とを有し、
前記第一の握り部および前記第二の握り部を握り合わせることにより、前記キャップの側部を前記押付部と前記側壁部との間に把持固定して、前記キャップを回転させるように構成したことを特徴とするキャップオープナー。
【請求項２】
前記第一握り部の前記収容部とは反対側の端部および前記第二握り部の前記押え部とは反対側の端部の少なくとも一方を鋭利形状にしたことを特徴とする請求項１記載のキャップオープナー。
【発明の詳細な説明】
【技術分野】
【０００１】  本発明は、ペットボトル等の容器の飲み口に装着されたキャップを開栓するキャップオープナーに関し、特に、力の弱い老人あるいは子供などでも、キャップを容易に開栓できるキャップオーブナーに関するものである。
【背景技術】
【０００２】  この種のキャップオープナーとして、キャップ挿入用の円形形状の開口部を形成し、この開口部の内周部分に角度を付けた爪を設けたものが提案されている（例えば、特許文献１参照）。【０００３】  また、開栓具本体の一方側に、キャップ挿入用の円形形状の開口部を形成し、この開口部の内周部分にキャップ把持用突起を付け、また、他方側にプルタブオープナーを付けたものが提案されている（例えば、特許文献２参照）。
【特許文献１】特開２００３−３００５９７号公報（図１、図２）。
【特許文献２】特開２００１−１５８５００号公報（図１乃至図３）
【発明の開示】
【発明が解決しようとする課題】
【０００４】  しかしながら、前記キャップオープナーはいずれも円形形状の開口部に爪または突起を形成したものであり、ある所定の外径のキャップに適用できるものの、多種の外径のキャップに対して適用することはできない。【０００５】  特に、近年、緑茶や紅茶などの飲料以外にも醤油などもペットボトル化されてきてキャップ外径も多様になってきており、老人あるいは子供にとっては、これに適用できるキャップオープナーが望まれるようになってきている。【０００６】  また、前記キャップオープナーは、単にキャップ挿入用の開口部を形成したものであり、老人あるいは子供にとっては、キャップを確実に把持して開栓することは必ずしも容易でない。【０００７】  そこで、本発明は、弱い力で容易に開栓でき、また、多種の外径のキャップに対応でき、さらに、キャップを確実に把持することができるキャップオープナーを提供することを目的としている。
【課題を解決するための手段】
【０００８】  前記目的を達成するために、請求項１の発明は、容器の飲み口に装着されたキャップの側部を把持固定し、前記キャップを回転させることにより開栓するキャップオープナーであり、
前記キャップの側部が当接する側壁部および前記キャップの先端部が当接するストッパ部を有して前記キャップの一部または全部を受け入れるキャップ収容部と、前記キャップ収容部から延出する第一の握り部とを備えたキャップ保持部と、
前記キャップの前記側部を前記キャップ収容部の側壁部に当接させる押付部と、前記押付部から延出する第二の握り部とを備えたキャップ押え部とを有し、
前記第一の握り部および前記第二の握り部を握り合わせることにより、前記キャップの側部を前記押付部と前記側壁部との間に把持固定して、前記キャップを回転させるように構成したキャップオープナーを特徴としている。【０００９】  また、請求項２に記載されたものは、前記第一握り部の前記収容部とは反対側の端部および前記第二握り部の前記押え部とは反対側の端部の少なくとも一方を鋭利形状にした請求項１記載のキャップオープナーを特徴としている。
【発明の効果】
【００１０】  このように構成された請求項１のものは、側壁部およびストッパ部を有してキャップを受け入れる収容部と、キャップの側部を側壁部に当接させる押付部とを有しているので、異なる外径のキャップを確実に把持固定することができ、しかも、第一の握り部と前記第二の握り部とを握り合わせることによりキャップの側部を把持固定するものであるので、弱い力でもキャップを回転させることができる。【００１１】  また、請求項２に記載されたものは、第一握り部の収容部とは反対側の端部および第二握り部の押え部とは反対側の端部の少なくとも一方を鋭利形状にすることにより、プルタブオープナーを併せ持ったキャップオープナーとすることができる。
【発明を実施するための最良の形態】
【００１２】  以下、本発明の最良の実施の形態を添付図面を参照して説明する。【００１３】  ［実施例１］
図１は、本実施例１のキャップオープナーの斜視図であり、図２は、図１のＸ−Ｘ線での断面図であって、容器の飲み口、キャップおよび押付部の断面図を併記したもので、説明の都合上実際の使用形態とは上下を逆にして図示してある。【００１４】  本実施例１のキャップオープナー１は、キャップ保持部２とキャップ押え部７とからなっており、これらを形成する材料は特に限定しないが、キャップ保持部２は、成形加工性の観点からプラスチック材料を用いて形成することが好ましく、キャップ押え部７は、プラスチック材料または金属材料を用いて形成することが好ましい。【００１５】  キャップ保持部２は、容器１２の飲み口１３に装着されたキャップ１４の側部１５が当接する側壁部５と、キャップ１４の先端部１６が当接するストッパ部４とからなるキャップ収容部３と、このキャップ収容部３から延出する第一の握り部６とを備えており、側壁部５の内側には側部１５の把持固定力を高めるために凹凸を設けてもよい。【００１６】  キャップ押え部７は、キャップ１４の側部１５をキャップ収容部３の側壁部５に当接させる押付部８と、この押付部８から延出する第二の握り部１０とを備えており、押付部８の内側（側部１５を把持する側）には、キャップ１４を回転させる際の側部１５の把持固定力を高めるための凸凹部９が形成されている。【００１７】  キャップ保持部２とキャップ押え部７は、双方の先端部にネジ止またはカシメ等により形成された結合部１１で回転自在に連結され、結合部１１を支点としたテコ作用によりキャップ１４の側部１５を把持固定する。【００１８】  次に、本実施例１の作用について説明する。【００１９】  このように構成された本実施例１のキャップオープナー１では、容器１２の飲み口１３に装着されたキャップ１４の上方からキャップ収容部３を被せ、キャップ１４の先端部１６がストッパ部４に当接した状態で、第一の握り部６と前記第二の握り部１０とを握り合わせると、キャップ１４の側部１５は、押付部８と側壁部５との間に把持固定され、この状態でキャップオープナー１を回転させることによりキャップ１４が回転し、飲み口１３からキャップ１４を取り外されて開栓される。【００２０】  本実施例１のキャップオープナー１では、側壁部５およびストッパ部４を有してキャップ１４を受け入れる収容部３と、キャップ１４の側部１５を側壁部５に当接させる押付部８とを有しているので、異なる外径のキャップ１４を確実に位置合わせして把持固定することができ、しかも、第一の握り部６と前記第二の握り部１０とを握り合わせることによりキャップ１４の側部１５を把持固定するものであるので、弱い力でもキャップ１４を回転させることができる。【００２１】  ［実施例２］
本実施例２によるキャップオープナーについて、前記実施例１と同一乃至均等な部分については同一符号を付して説明する。【００２２】  本実施例２は、図３に示すように、第二握り部７の押え部８とは反対側の端部を鋭利形状にしてプルタブオープナー１７を形成したものである。【００２３】  本実施例２によれば、プルタブオープナーを併せ持ったキャップオープナーを得ることができる。【００２４】  他の構成および作用については、前記実施例１と同様であるので、説明を省略する。【００２５】  以上、図面を参照して、本発明の最良の実施の形態を詳述してきたが、具体的な構成は、この実施の形態に限らず、本発明の要旨を逸脱しない程度の設計的変更は、本発明に含まれる。【００２６】  例えば、前記の形態では、第二握り部７にプルタブオープナー１７を設けたが、第一握り部６にプルタブオープナーを設けても差し支えない。
【図面の簡単な説明】
【図１】  本発明の実施例１のキャップオープナーの全体構成を説明する斜視図である。
【図２】  図１のＸ−Ｘ線に沿った断面図である。
【図３】  本発明の実施例２のキャップオープナーの全体構成を説明する斜視図である。
【符号の説明】
１  キャップオープナー
２  キャップ保持部
３  キャップ収容部
４  ストッパ部
５  側壁部
６  第一握り部
７  キャップ押え部
８  押付部
９  凸凹部
１０  第二握り部
１１  結合部
１２  容器
１３  飲み口
１４  キャップ
１５  側部
１６  先端部
１７  プルタブオープナー
【図１】
2006168824.tif 000003
【図２】
2006168824.tif 000004
【図３】
2006168824.tif 000005